(57)【要約】  【目的】  本発明は、天板上にＯＡ機器のコード類を種類に応じて簡単に、体裁よく挿通すると共に、挿通したコード類が不用意に天板下方に脱落しないコード類の保持装置に関するものであり、ＯＡ機器から取外されたコード類が挿通孔から下方に抜け落ちることを防止し、又、挿通孔の大きさをコード類の太さに対応させることが出来、さらに、枠体からの取り出し位置を選択可能なコード類保持装置を得ることを目的とする。    【構成】  机の天板に形成された切欠き孔に嵌合する保持枠体と、保持枠体に着脱自在に取付られる閉鎖用キャップと、閉鎖用キャップにスライド自在に保持され、閉鎖用キャップのコード挿通用の切欠きを開閉する閉鎖用スライドキャップより構成され、閉鎖用スライドキャップと閉鎖用キャップ間にスライド段階保持部を設け、閉鎖用スライドキャップは、挿通するコード類の太さに合わせてコード挿通用の切欠きを段階的に開閉可能としたものである。  【選択図】  図１
2005117712.tif 000002
【特許請求の範囲】
【請求項１】
机等の天板に形成された切欠き孔に嵌合する保持枠体と、保持枠体に着脱自在に取付られる閉鎖用キャップと、閉鎖用キャップにスライド自在に保持され、閉鎖用キャップに形成されたコード挿通用の切欠きを開閉する閉鎖用スライドキャップより構成され、閉鎖用スライドキャップと閉鎖用キャップ間にスライド段階保持部を設け、閉鎖用スライドキャップは、挿通するコード類の太さに合わせてコード挿通用の切欠きを段階的に開閉可能としたことを特徴とするコード類保持装置。
【請求項２】
机等の天板に形成された切欠き孔に嵌合する保持枠体と、保持枠体に着脱自在に取付られる複数個の閉鎖用キャップと、閉鎖用キャップにスライド自在に保持され、閉鎖用キャップに形成されたコード挿通用の切欠きを開閉する閉鎖用スライドキャップより構成され、保持枠体は、縦方向あるいは横方向に複数個の閉鎖用キャップが合致する大きさの窓孔を有すると共に、閉鎖用キャップを縦方向あるいは横方向に支持可能な支持部が窓孔の周壁に臨ませて形成され、複数個の閉鎖用キャップの窓孔に対する取付方向を選択することにより、コード挿通用の切欠きの位置、及び、大きさを１つ分、または、2つ分合わせた大きさに選択可能としたことを特徴とするコード類保持装置。
【請求項３】
机等の天板に形成された切欠き孔に嵌合する保持枠体と、保持枠体に着脱自在に取付られる同一形状の複数個の閉鎖用キャップと、閉鎖用キャップにスライド自在に保持され、閉鎖用キャップに形成されたコード挿通用の切欠きを開閉する閉鎖用スライドキャップより構成され、保持枠体は、縦方向あるいは横方向に複数個の閉鎖用キャップが合致する大きさの窓孔を有し、窓孔は閉鎖用キャップを縦方向あるいは横方向に支持可能な支持部を周壁に有する一方、閉鎖用スライドキャップと閉鎖用キャップ間にスライド段階保持部を設けることにより、複数個の閉鎖用キャップの窓孔に対する取付方向を選択することにより、コード挿通用の切欠きの位置、及び、大きさを１つ分、または、2つ分合わせた大きさに選択可能となすと共に、閉鎖用スライドキャップは、挿通するコード類の太さに合わせてコード挿通用の切欠きを段階的に開閉可能としたことを特徴とするコード類保持装置。
【発明の詳細な説明】
【技術分野】
【０００１】
本発明は、主に机等の天板上にＯＡ機器のコード類を体裁よく、しかも、コード類の種類に応じて簡単に挿通できると共に、天板下方より天板上に挿通されたコード類が天板下方へ不用意に脱落しないコード類の保持装置に関するものである。
【背景技術】
【０００２】
机等の天板上で使用されるＯＡ機器に必要なコード類は、天板上に穿設した挿通孔を通して天板下方の配線用ダクト等から天板上に導かれ、天板上に設置したＯＡ機器と接続される。
上記コード類には電源供給用のコードやネットワーク配線用のコード等の種類があり、その種類によって太さが相違することがあるが、コード類の挿通孔の大きさはコード類の種類による太さの違いに対応していることが望ましい。
また、近年は携帯可能なノート型パソコンが増加し、それに伴い執務する場所を固定せずに執務者の必要に応じてノート型パソコンとともに移動したり、あるいは、外出時にノート型パソコンを携帯したりすることが一般的になっているので、ノート型パソコンからコード類を取外したり接続したりする機会が多くなっている。
そして、一度ノート型パソコンから取外したコード類を再度接続するときのことを考慮すれば、コード類は挿通孔から天板下方に抜け落ちることなく、取外された状態のままで天板上に留まっていることが望ましい。
また、体裁上、これらのコード類が机上を這う距離は、より短いことが望ましい。
しかしながら、従来のコード類保持装置は、塞ぎ板を備え、その要所にコード挿通孔があけられた閉塞体を、天板の要所にあけた孔に嵌め込んだ枠体内へ嵌め込み、かつ塞ぎ板の下面に前記コード挿通孔を挟んで並設され、しかも、対向面に摺動溝が形成されているレール体の摺動溝へ、コード挿通孔を開閉するための閉止板の対向側縁を摺動可能に嵌めたもの（例えば、特許文献１参照。）や、コードを挿通する前には、蓋体を連設したままの枠体を取付孔に取り付け、取付孔を体裁よく閉塞し、コードを挿通する際には、枠体より蓋体を切り離し、９０度回動させて、蓋体を係止溝に保持させ、かつ、蓋体を側方に摺動させて、蓋体同士の間に間隙をあけて、コネクター等を装着したコードをそのまま挿通させ、その後、蓋体を再び摺動させて、間隙を必要最小限に小さくしたもの（例えば、特許文献２参照。）であった。
【０００３】
前者、後者いずれの場合も、塞ぎ体（蓋体）を取外さない限り、コード挿通孔（間隙）は、閉止板（蓋）の摺動幅以上の大きさとする事が出来ないだけでなく、ＯＡ機器の使用位置に対応してコード挿通孔（間隙）の形成位置を選択することも出来なかった。
また、ＯＡ機器から取外され天板上に置かれたコード類がコード挿通孔（間隙）から天板下方に抜け落ちることを防止する工夫もなされていなかった。
【０００４】
【特許文献１】実公昭５０−３５９２４号公報
【特許文献２】実公平４−４０２９７号公報
【発明の開示】
【発明が解決しようとする課題】
【０００５】
本発明は、天板上に設置したＯＡ機器から取外されたコード類がコード挿通孔（間隙）から天板下方に抜け落ちることを防止し、又、コード類の太さに対応した大きさのコード挿通孔を簡単に得ることが出来て、さらに、コード類の枠体からの取り出し位置をＯＡ機器の設置位置に合わせて適宜選択できるコード類保持装置を提供する事を課題とする。
【課題を解決するための手段】
【０００６】
そこで、上記課題を解決する為、本発明が第１の手段として構成したところは、机等の天板に形成された切欠き孔に嵌合する保持枠体と、保持枠体に着脱自在に取付られる閉鎖用キャップと、閉鎖用キャップにスライド自在に保持され、閉鎖用キャップに形成されたコード挿通用の切欠きを開閉する閉鎖用スライドキャップより構成され、閉鎖用スライドキャップと閉鎖用キャップ間にスライド段階保持部を設け、閉鎖用スライドキャップは、挿通するコード類の太さに合わせてコード挿通用の切欠きを段階的に開閉可能としたものである。
【０００７】
次に、本発明が第２の手段として構成したところは、机等の天板に形成された切欠き孔に嵌合する保持枠体と、保持枠体に着脱自在に取付られる複数個の閉鎖用キャップと、閉鎖用キャップにスライド自在に保持され、閉鎖用キャップに形成されたコード挿通用の切欠きを開閉する閉鎖用スライドキャップより構成され、保持枠体は、縦方向あるいは横方向に複数個の閉鎖用キャップが合致する大きさの窓孔を有すると共に、閉鎖用キャップを縦方向あるいは横方向に支持可能な支持部が窓孔の周壁に臨ませて形成され、複数個の閉鎖用キャップの窓孔に対する取付方向を選択することにより、コード挿通用の切欠きの位置、及び、大きさを１つ分、または、2つ分合わせた大きさに選択可能としたものである。
【０００８】
本発明が第３の手段として構成したところは、机等の天板に形成された切欠き孔に嵌合する保持枠体と、保持枠体に着脱自在に取付られる同一形状の複数個の閉鎖用キャップと、閉鎖用キャップにスライド自在に保持され、閉鎖用キャップに形成されたコード挿通用の切欠きを開閉する閉鎖用スライドキャップより構成され、保持枠体は、縦方向あるいは横方向に複数個の閉鎖用キャップが合致する大きさの窓孔を有し、窓孔は閉鎖用キャップを縦方向あるいは横方向に支持可能な支持部を周壁に有する一方、閉鎖用スライドキャップと閉鎖用キャップ間にスライド段階保持部を設けることにより、複数個の閉鎖用キャップの窓孔に対する取付方向を選択することにより、コード挿通用の切欠きの位置、及び、大きさを１つ分、または、2つ分合わせた大きさに選択可能となすと共に、閉鎖用スライドキャップは、挿通するコード類の太さに合わせてコード挿通用の切欠きを段階的に開閉可能としたものである。
【発明の効果】
【０００９】
請求項１に記載の発明によると、閉鎖用スライドキャップが閉鎖用キャップにスライド自在に保持されているので、挿通するコード類の太さに対応した大きさのコード挿通孔を形成できると共に、閉鎖用スライドキャップと閉鎖用キャップ間にスライド段階保持部を設けることにより、閉鎖用スライドキャップが段階的にしかスライドしないので、天板上に置かれたコード類は閉鎖用スライドキャップに圧接されることによってコード挿通孔内に保持され、不用意にコード挿通孔から天板下方に抜け落ちることがない。
これによって、ＯＡ機器から取外されたコード類を再度ＯＡ機器に接続するとき、天板下方に脱落しているコード類を天板上に導き出す手間が不要になる。
【００１０】
請求項２に記載の発明によると、窓孔の周壁には閉鎖用キャップを支持する支持部が前記閉作用キャップを縦方向、または、横方向に支持可能に形成されているので、ＯＡ機器の設置位置に合わせて、窓孔に対する閉鎖用キャップの取付方向を選択して適宜な位置にコード挿通孔が形成できる。これによって、コード類が机上を這う距離を短くすることができ体裁がよい。
さらに、コード挿通用の切欠きの大きさを１つ分、または、2つ分合わせた大きさに選択可能としたことにより、コード類の太さに対応した大きさのコード挿通用切欠きを簡単に形成することができる。
請求項３に記載の発明によると、請求項１に記載の発明及び請求項２に記載の発明の効果を併せ持つことができる。
【発明を実施するための最良の形態】
【００１１】
机等の天板１０に形成された切欠き孔１０１に嵌合する保持枠体１と、保持枠体１に着脱自在に取付られる複数個の同一形状の閉鎖用キャップ３と、閉鎖用キャップ３にスライド自在に保持され、閉鎖用キャップ３に設けたコード挿通用の切欠き３０を開閉する閉鎖用スライドキャップ５より構成され、保持枠体１は、縦方向あるいは横方向に複数個の閉鎖用キャップ３が合致する大きさの窓孔１１を有し、窓孔１１は閉鎖用キャップ３を縦方向あるいは横方向に支持可能な支持部６を周壁１３に有する一方、閉鎖用スライドキャップ５と閉鎖用キャップ３間にスライド段階保持部７を設け、窓孔１１に対する複数個の閉鎖用キャップ３の取付方向を選択することにより、コード挿通孔３７をコード挿通用の切欠き３０の１つ分、または、2つ分合わせた大きさに選択可能となすと共に、閉鎖用スライドキャップ５は、挿通するコード類の太さに合わせてコード挿通用の切欠き３０を段階的に開閉可能としたものである。
【実施例１】
【００１２】
図１は、本発明の第１実施例のコード類保持装置の要部分解斜視図を示し、図２は本発明の第１実施例の斜視図を示している。
図２において、符号１は、机等の天板１０に穿設された切欠き孔１０１に嵌合する保持枠体を示し、符号３・・・は保持枠体１に着脱自在に取付られる閉鎖用キャップを示し、符号５は、閉鎖用キャップ３にスライド自在に保持され、閉鎖用キャップ３のコード挿通用の切欠き３０を段階的に開閉する閉鎖用スライドキャップを示している。
【００１３】
保持枠体１は、合成樹脂材にて形成され、天板１０に取付けられた状態で、天板１０の切欠き孔１０１の周縁の外方上面に突出して天板１０上に位置する外周縁１２と、外周縁１２の下面に連設され、切欠き孔１０１内に突出する周壁１３と、外周縁１２と周壁１３で囲まれて上下方向に貫通して形成される窓孔１１と、上端面６１・・・が所定寸法（前記閉鎖用キャップ３に対応して）下方に位置し、周壁１３の４角内面と、周壁１３の長手方向の中央部内面で内方（窓孔１１内）に突出し閉鎖用キャップ３を保持する支持部６・・・より構成されている。
支持部６は、内面中央部縦方向に案内凹部６２を有し、案内凹部６２の下端部に閉鎖用キャップ３を係脱自在に保持する係止突条６３・・・が形成されている。
尚、第１実施例では、窓孔１１は短手方向と長手方向の寸法比が１：２の割合で形成されている。
【００１４】
そして、周壁１３の短手側外面の中央部下端に、木製の天板１０に取付られた時、切欠き孔１０１の下端縁に係止する木製用係止突起１３１、１３１が形成され、周壁１３の長手側外面上端部に、外周縁１２と所定間隔を有し、スチール製の天板に取付られた時、切欠き孔１０１の下端縁に係止するスチール用係止突起１３２・・・が長手方向に所定間隔を有して形成されている。
【００１５】
閉鎖用キャップ３は、合成樹脂材より形成され、支持部６の上端面６１に載置され、上面が外周縁１２の上面と面一となる載置面部３１１・・・を四隅に有し、窓孔１１の短手側寸法にほぼ合致する平面視正方形状に形成された蓋部３１と、取り付け状態で前記支持部６・・・の案内凹部６２・・・内に位置し、支持部６・・・の係止突条６２・・・に係止する係合突条３３・・・を下端部に有し、蓋部３１の載置面部３１１の内側四隅の下面に下方に突出して連設された弾性脚体３４・・・より構成されている。
【００１６】
そして、蓋部３１には、一辺側端部が開口する閉鎖用スライドキャップ５のスライド方向側の寸法が小さいコード挿通用の切欠き３０が形成され、載置面部３１１・・・を除く蓋部３１の周部下面から下方に突出し、取り付け状態で前記支持部６・・・間に位置する補強突壁３２と、コード挿通用の切欠き３０に沿って裏面側に形成されたスライド用突条３６、３６と、蓋部３１の裏面側でスライド用突条３６、３６間に形成された段階係止凹部３５を有している。
スライド用突条３６、３６は、蓋部３１の下面でコード挿通用の切欠き３０の開口側から閉鎖用スライドキャップ５のスライド方向に、コード挿通用の切欠き３０の側端部側に沿って内面側に対向する摺動溝３３、３３を有している。
段階係止凹部３５は、閉鎖用スライドキャップ５のスライド方向で、スライド用突条３６、３６間に位置する複数個の鋸刃状の凹凸部によって形成されている。
【００１７】
閉鎖用スライドキャップ５は、コード挿通用の切欠き３０を閉塞する大きさで、前記摺動溝３３、３３に両側端部がスライド自在に保持される厚みに合成樹脂材より形成されてなり、上面に複数本の凹条からなる操作用すべり止め部５１を有し、操作用すべり止め部５１の閉鎖側端部に操作用突起５２を有し、開放側端部中央部に操作用弾性脚体５４有している。
そして、操作用弾性脚体５４の開放側端部上面に、前記段階係止凹部３５に段階的に係合する段階係止突部５３が形成されている。
すなわち、閉鎖用スライドキャップ５は、蓋部３１の裏面に形成された段階係止凹部３５と操作用弾性脚体５４の弾性によって段階係止凹部３５に弾性的に係合する段階係止突部５３によって構成されるスライド段階保持部７によって、使用者がスライドさせる意図をもって操作しない限り段階的な閉鎖位置を維持し、不用意にスライドすることはない。
【００１８】
本発明の実施例１は上記の如く形成されており、次の様にして使用される。
まず、天板１０に形成された切欠き孔１０１に上方から保持枠体１を嵌着させる。
このとき、天板の種類に影響されずに同一の保持枠体１が使用される。
すなわち、木製の天板１０の場合は、木製用係止突起１３１、１３１が切欠き孔１０１の下端周部に係合し、スチール製の天板の場合は、スチール用係止突起１３２・・・が切欠き孔１０１の下端周部に係合する。
次に、保持枠体１の窓孔１１を挿通するコード類の太さ、あるいは机上のＯＡ機器の設置位置に応じて、閉鎖用キャップ３、３の取付方向を決定する。
すなわち、図５〜図７に示すように、コード類の太さが閉鎖用スライドキャップ５を取付けた状態で開口する一つのコード挿通用の切欠き３０より細い場合で、窓孔１１の長手方向の端部側からコード類を導出したい時は、図５の状態に示すようにコード挿通用の切欠き３０にコード類を挿通させた状態（この時、閉鎖用スライドキャップ５はコード挿通用の切欠き３０がほぼ全開する位置に保持されている。）で、支持部６・・・の係止突条６３・・・に弾性脚体３４・・・の係合突条３３・・・を係合させて閉鎖用キャップ３、３を保持枠体１に取付ける。
次に、閉鎖用スライドキャップ５を段階的にスライドさせて、閉鎖側の端部がコード類端面に当接する位置を、段階係止凹部３５と段階係止突部５３の係合位置によって選択し、コード類（図2、図３に2点線鎖線で示す。）を保持する。（この時、閉鎖用スライドキャップ５の操作用突起５２側の端面と、保持枠1の周壁１３の端面と、コード挿通用の切欠き３０の対向する端面でコード挿通孔３７を形成することとなる。）
机上のＯＡ機器がノート型パソコンである場合は、コード類を接続したり取外したりする機会が多いが、コード類がコード挿通孔３７内に保持されることによって、取外されたコード類がコード挿通孔３７から不用意に天板下方へ脱落する事がないので、再度ＯＡ機器にコード類を接続するとき、天板下方に脱落しているコード類を天板上に導き出す手間が不要になる。
ここではＯＡ機器として挙げたノート型パソコンはコード類の抜き差しの機会が多い機器として挙げた一例に過ぎず、ＯＡ機器には他のコード類を伴ってそのコード類との抜き挿しが必要な機器や、通常は天板上に載置してコード類を挿したままで使用する機器をも含む。
尚、閉鎖用スライドキャップ５を摺動溝３３、３３内で開放側にいっぱいまでスライドさせると、コード挿通孔３７の大きさは、操作用突起５２の突出分だけわずかに狭くなるものの、コード挿通用の切欠き３０とほぼ等しい大きさとなる。
【００１９】
又、コード類の太さが閉鎖用スライドキャップ５を取付けた状態で開口する一つのコード挿通孔３７より太い場合、又、窓孔１１の中央部からコード類をまとめて導出したいとき、又、束ねると１つのコード挿通用孔３７には挿通不可能な複数本のコード類を挿通させたいときは、図６に示すように、コード挿通用の切欠き３０、３０を対向させて、コード挿通用の切欠き３０を2つ合わせた大きさのコード挿通用の切欠き３０を得、このコード挿通用の切欠き３０内にコード類を挿通させた状態で、閉鎖用キャップ３、３を保持枠体１に取付けて、閉鎖用スライドキャップ５、５の端部をコード類の端面に当接させて、コード挿通孔３７を形成し、コード挿通孔３７にコード類を保持し、コード類の天板下方への不用意な脱落を防止する。
さらに、コード類が閉鎖用スライドキャップ５、５を有するコード挿通用の切欠き３０を２つ合わせた大きさより太い時、あるいは、束ねるとコード挿通孔３７には挿通不可能な複数本のコード類を挿通させたいときは、図７に示すように一方の閉鎖用キャップ３を取外し、窓孔１１に直接コード類を挿通する。
尚、第一実施例の保持枠体１は窓孔１１の短手側と長手側の寸法比を１：２となし、閉鎖用キャップ３の蓋部３１は、窓孔１１の短手側寸法にほぼ合致する平面視正方形状に形成され、閉鎖用スライドキャップ５のスライド方向側の寸法を小さくした長方形状の一つのコード挿通用の切欠き３０を形成しているが、窓孔１１の短手側と長手側の寸法比を１：１を除く正の整数倍にすれば、閉鎖用キャップ３は１を除く正の整数倍の個数を使用可能とすることになる。
【実施例２】
【００２０】
第２実施例は、図８〜図９に示すように、第１実施例と同様、保持枠体１と、保持枠体１に着脱自在に取付られる閉鎖用キャップ３と、閉鎖用キャップ３にスライド自在に保持され、閉鎖用キャップ３に設けたコード挿通用の切欠き３０を段階的に開閉する閉鎖用スライドキャップ５・・・より構成されている。
そして、保持枠体１は、窓孔１１の縦横の寸法比を１：１とし、閉鎖用キャップ３の蓋部３１の縦横いずれか一方の寸法は窓孔１１の寸法と同じで、他方をその2分の１とした寸法比１：０．５としている。
そして、第１実施例と同じ大きさのコード挿通用の切欠き３０を2つ形成し、２つの閉鎖用スライドキャップ５、５を配設している。
【００２１】
したがって、コード類の太さが閉鎖用スライドキャップ５を取付けた状態で開口する一つのコード挿通用の切欠き３０より細い場合で、窓孔１１の端部側からコード類を導出したい時は、図８の状態に示すようにコード挿通用の切欠き３０にコード類を挿通させた状態で、閉鎖用キャップ３、３を保持枠体１に取付けて、閉鎖用スライドキャップ５の端部をコード類の端面に当接させて、コード挿通孔３７を形成し、このコード挿通孔３７にコード類を保持し、コード類の天板下方への不用意な脱落を防止する。
【００２２】
又、コード類の太さがが閉鎖用スライドキャップ５を取付けた状態で開口する一つのコード挿通用の切欠き３０より太い場合、あるいは、窓孔１１の中央部からコード類をまとめて導出したいとき、またあるいは束ねると１つのコード挿通孔３７には挿通不可能な複数本のコード類を挿通させたいときは、図９に示すように、コード挿通用の切欠き３０、３０を対向させて、このコード挿通用の切欠き３０、３０にコード類を挿通させた状態で、閉鎖用キャップ３、３を保持枠体１に取付けて、コード挿通用の切欠き３０を2つ合わせた大きさのコード挿通用の切欠き３０を得、このコード挿通用の切欠き３０内にコード類を挿通させた状態で、閉鎖用キャップ３、３を保持枠体１に取付けて、閉鎖用スライドキャップ５、５の端部をコード類の端面に当接させて、コード挿通孔３７を形成し、このコード挿通孔３７にコード類を保持し、コード類の天板下方への不用意な脱落を防止する。
【図面の簡単な説明】
【００２３】
【図１】本発明の第１実施例の分解斜視図
【図２】本発明の第１実施例の斜視図
【図３】図２のＡ−Ａ線拡大断面図
【図４】図２のＢ−Ｂ線拡大断面図
【図５】本発明の第１実施例の閉鎖用キャップの取付姿勢の第1例を示す平面図
【図６】本発明の第１実施例の閉鎖用キャップの取付姿勢の第２例を示す平面図
【図７】本発明の第１実施例の閉鎖用キャップの取付姿勢の第３例を示す平面図
【図８】本発明の第２実施例の閉鎖用キャップの取付姿勢の第1例を示す平面図
【図９】本発明の第２実施例の閉鎖用キャップの取付姿勢の第２例を示す平面図
【符号の説明】
【００２４】
１            保持枠体
１０          天板
１１          窓孔
１３          周壁
１０１        切欠き孔
３            閉鎖用キャップ
３０          コード挿通用の切欠き
５            閉鎖用スライドキャップ
６            支持部
７            スライド段階保持部
【図１】
2005117712.tif 000003
【図２】
2005117712.tif 000004
【図３】
2005117712.tif 000005
【図４】
2005117712.tif 000006
【図５】
2005117712.tif 000007
【図６】
2005117712.tif 000008
【図７】
2005117712.tif 000009
【図８】
2005117712.tif 000010
【図９】
2005117712.tif 000011